(57)【要約】      （修正有）【課題】切れ味良好で分解組立も簡単な電動式鼻毛カッターを提供する。【解決手段】外刃１０のスリット１１は天井面の縁部を越える位置まで伸び、内刃台３０の下端面に軸心を頂点とする逆Ｖ字状の溝３１が形成され、内刃台３０のスリット溝の幅よりも若干薄く、中心で二分割に縦割りされた２枚の金属片２１，２２を紐状部材２３で離間方向への所定の遊びを有する状態で連結した内刃２０を備えている。ジョイント４０の上端には内刃台３０の逆Ｖ字状の溝３１に嵌り合うＶ字状の凸部４１が形成されており、モーターを回転すると金属片２１，２２は、遠心力により外へ広がり、摩擦抵抗によって内刃台３０が遅れ気味に回転する状態となり、逆Ｖ字状の溝３１とＶ字の凸部４１との作用によって内刃台３０が上昇させられ、内刃２０の上端が外刃１０の天井面の内側に当たる。【選択図】図２
0003147715.tif 000002
【実用新案登録請求の範囲】
【請求項１】
周面上部に鼻毛導入用のスリットが多数形成され、本体ハウジングに対して着脱可能に取り付けられた円筒状の外刃と、
該外刃の内面に沿って回転する内刃と、
該内刃が取り付けられた内刃台と、
本体ハウジング内に収納されたモーターと、
該モーターのシャフトと前記内刃台とを連結するジョイントとを備え、
さらに、以下の構成をも備えていることを特徴とする電動式鼻毛カッター。
（１）  前記外刃は、前記スリットの先端を閉じる天井面を有し、前記スリットは該天井面の縁部を越える位置まで伸ばされていること。
（２）  前記内刃台の下端面には、軸心を頂点とする逆Ｖ字状の溝が外周まで貫通する様に形成されていること。
（３）  前記内刃台の上端面には、軸心を通るスリット溝が外周まで貫通する様に形成されていること。
（４）  前記内刃は、前記内刃台のスリット溝に対して摺動自在な状態で嵌め込まれる様に該スリット溝の幅よりも若干薄く、二つに縦割りされた金属片によって構成されていること。
（５）  前記ジョイントの上端には、前記内刃台の逆Ｖ字状の溝に挿入され、該逆Ｖ字状の溝のテーパ面に対して、少なくとも回転中心よりも外側の位置で係合し得る凸部が形成されていること。
【請求項２】
さらに、以下の構成をも備えていることを特徴とする請求項１記載の電動式鼻毛カッター。
（６）  前記ジョイント上端の凸部が、前記内刃台の逆Ｖ字状の溝に嵌り合うＶ字状の凸部として形成されていること。
【請求項３】
さらに、以下の構成をも備えていることを特徴とする請求項１又は２記載の電動式鼻毛カッター。
（７）  前記二分割された内刃は、紐状部材又はリング状部材により、離間方向への所定の遊びを有する状態で連結されていること。
【考案の詳細な説明】
【技術分野】
【０００１】
本考案は、電動式の鼻毛カッターに関するものである。
【背景技術】
【０００２】
従来、櫛歯状の刃溝を備えた固定刃と、この固定刃の内面に沿って回転する可動刃とを備えた電動式の鼻毛カッターが種々提案されている。
【０００３】
特許文献１は、アーム部１５をＵ字型のばね部材として（図５（Ａ−１）参照。）、特許文献２は複雑に屈曲させた線ばね３を用いて（図５（Ａ−２）参照。）、特許文献３はコイルばね２４を用いて（図５（Ａ−３）参照）、それぞれ可動刃を側方に付勢して固定刃に密着させる構造を採用している。
【０００４】
特許文献４は、コイルばね１１を用いて可動刃を上方に付勢して固定刃に密着させる構造を採用している（図５（Ｂ）参照）。
【０００５】
特許文献５は、板状バネ部材１２ｂで可動刃１２を構成し、側方に開かせて固定刃に密着させる構造を採用している（図５（Ｃ）参照）。
【０００６】
特許文献６，７は板ばね状の部材を屈曲させた内刃５を備え、特許文献６は平坦部６４と平坦部１４３とが嵌合しあうことによって連結穴の回り止めを行うと同時にモーター１３の駆動を伝達する構造を（図５（Ｄ−１）参照）、特許文献７は円筒状の外刃３の開放端面にキャップ７を装着して鼻腔の粘膜を傷つけずに使用できる鼻毛カッターを（図５（Ｄ−２）参照。）、それぞれ提案している。
【特許文献１】特開平８−１００４０号公報
【特許文献２】特開２００４−８９７３１号公報
【特許文献３】特開２００７−２９３８１号公報
【特許文献４】特開２００６−２３９２８９号公報
【特許文献５】特開２００１−１２０３４０号公報
【特許文献６】特開２００１−１２０３４２号公報
【特許文献７】特開２００１−１４９６７１号公報
【考案の開示】
【考案が解決しようとする課題】
【０００７】
これら特許文献１〜７は、固定刃（外刃）と可動刃（内刃）との密着性を高めるために内刃自体を板ばねで構成したり、付勢用のばね部材を内蔵させたりしているが、組立作業が複雑になるという問題がある。また、ばねを利用しても内刃が外刃に対して十分に密着できずに切れ味が未だ十分でないといった問題もある。
【０００８】
そこで、本考案は、切れ味良好で分解組立も簡単な電動式鼻毛カッターを提供することを目的とする。
【課題を解決するための手段】
【０００９】
上記目的を達成するためになされた本考案の電動式鼻毛カッターは、周面上部に鼻毛導入用のスリットが多数形成され、本体ハウジングに対して着脱可能に取り付けられた円筒状の外刃と、該外刃の内面に沿って回転する内刃と、該内刃が取り付けられた内刃台と、本体ハウジング内に収納されたモーターと、該モーターのシャフトと前記内刃台とを連結するジョイントとを備え、さらに、以下の構成をも備えていることを特徴とする。
（１）  前記外刃は、前記スリットの先端を閉じる天井面を有し、前記スリットは該天井面の縁部を越える位置まで伸ばされていること。
（２）  前記内刃台の下端面には、軸心を頂点とする逆Ｖ字状の溝が外周まで貫通する様に形成されていること。
（３）  前記内刃台の上端面には、軸心を通るスリット溝が外周まで貫通する様に形成されていること。
（４）  前記内刃は、前記内刃台のスリット溝に対して摺動自在な状態で嵌め込まれる様に該スリット溝の幅よりも若干薄く、二つに縦割りされた金属片によって構成されていること。
（５）  前記ジョイントの上端には、前記内刃台の逆Ｖ字状の溝に挿入され、該逆Ｖ字状の溝のテーパ面に対して、少なくとも回転中心よりも外側の位置で係合し得る凸部が形成されていること。
【００１０】
本考案の電動式鼻毛カッターは、さらに、以下のいずれか又は全ての構成をも備えることができる。
（６）  前記ジョイント上端の凸部が、前記内刃台の逆Ｖ字状の溝に嵌り合うＶ字状の凸部として形成されていること。
（７）  前記二分割された内刃は、紐状部材又はリング状部材により、離間方向への所定の遊びを有する状態で連結されていること。
【００１１】
本考案の電動式鼻毛カッターによれば、モーターを回転するとジョイントを介して内刃台に回転力が伝達され、内刃台が回転する。このとき、二つに縦割りされた内刃は、遠心力により、スリット溝にガイドされた状態で各金属片が外へ広がる様に移動する。そして、内刃が外刃に接触すると、外刃の内面との接触による摩擦抵抗によって内刃台がジョイントに対して遅れ気味に回転する状態となる。このとき、逆Ｖ字状の溝と凸部との作用によって、内刃台が上昇させられ、内刃の上端が外刃の天井面の内側に当たる。内刃は、これにより、外刃の円筒内周面と天井面とにしっかりと接触した状態となり、外刃のスリットから導入された鼻毛をしっかりと剪断する。
【００１２】
本考案の電動式鼻毛カッターでは、内刃台とジョイントは接触による動力伝達をする構造であることから、外刃を本体ハウジングから取り外し、内刃台及び内刃を取り出して、鼻毛カッターの各部を掃除をすることができる。その後の組立においても、内刃台のスリット溝に内刃を挿入した状態でジョイントの上端に逆Ｖ字状の溝を合わせ、外刃を閉じれば容易に組み立てることができる。
【００１３】
ここで、（６）の様に逆Ｖ字状の溝に嵌り合うＶ字状の凸部でジョイントと内刃台との係合をさせる構成を採用する場合、内刃台に対する押し上げ力を強くすることができると共に、組立時の位置合わせも楽になり、組立作業は一層容易となる。
【００１４】
また、（７）の様に二枚の内刃同士を中心側で連結しておくことで、分解清掃時に内刃がバラバラになって紛失するといった問題をも解決する。この（７）の構成においては、内刃同士の連結の仕方が「離間方向への所定の遊び」を有するものであるから、遠心力によって外へ広がる動作を妨げない。なお、「遊び」の量は、回転時の遠心力による外への広がりによって内刃の側面が外刃の円筒内周面に確実に当接する程度の量とすることが望ましい。これは、あまりにも大きな遊びを設けると、組立難くなる可能性があるからである。
【考案の効果】
【００１５】
本考案によれば、切れ味良好で分解組立も簡単な電動式鼻毛カッターを提供することができる。
【考案を実施するための最良の形態】
【００１６】
次に、本考案の実施の形態について説明する。実施形態の電動式鼻毛カッター１は、図１〜図３に示す様に、周面上部に鼻毛導入用のスリット１１が多数形成され、本体ハウジング２に対して着脱可能に取り付けられた円筒状の外刃１０と、外刃１０の内面に沿って回転する内刃２０と、内刃２０が取り付けられた内刃台３０と、本体ハウジング２内に収納されたモーター（図示略）と、モーターのシャフト３と内刃台３０とを連結するジョイント４０とを備えている。
【００１７】
外刃１０は、スリット１１の先端を閉じる天井面１２を有し、スリット１１は天井面１２の縁部を越える位置まで伸ばされている。なお、外刃１０は、前述のスリット１１が形成された金属製の円筒状部材１３と着脱用の外ネジ１５が形成された樹脂製のモールド部材１４とによって構成されている。
【００１８】
内刃台３０の下端面には、軸心を頂点とする逆Ｖ字状の溝３１が外周まで貫通する様に形成されている。また、内刃台３０の上端面には、軸心を通るスリット溝３２が外周まで貫通する様に形成されている。
【００１９】
内刃２０は、内刃台３０のスリット溝３２に対して摺動自在な状態で嵌め込まれる様に、該スリット溝の幅よりも若干薄く、二つに縦割りされた金属片２１，２２によって構成されている。そして、二分割された金属片２１，２２は、紐状部材２３により、離間方向への所定の遊びを有する状態で連結されている。なお、紐状部材２３に代えてリング状部材を用いて金属片２１，２２を連結することもできる。
【００２０】
ジョイント４０の上端には、内刃台３０の逆Ｖ字状の溝３１に挿入され、逆Ｖ字状の溝３１のテーパ面３１ａ，３１ｂに対して、少なくとも回転中心よりも外側の位置で係合し得る凸部が形成されている。この実施形態では、ジョイント上端の凸部を、内刃台３０の逆Ｖ字状の溝３１に嵌り合うＶ字状の凸部４１としている。
【００２１】
本実施形態の電動式鼻毛カッター１によれば、モーターを回転するとジョイント４０を介して内刃台３０に回転力が伝達され、内刃台３０が回転する。このとき、二分割された内刃２０の金属片２１，２２は、遠心力により、スリット溝３２にガイドされた状態でそれぞれ外へと広がる様に移動する。そして、内刃２０が外刃１０に接触すると、外刃１０の内面との接触による摩擦抵抗によって内刃台３０がジョイント４０に対して遅れ気味に回転する状態となる。このとき、逆Ｖ字状の溝３１の各テーパ面３１ａ，３１ｂとＶ字状の凸部４１のテーパ面４１ａ，４１ｂとの作用によって、内刃台３０が上昇させられ、内刃２０の上端が外刃１０の天井面１２の内側に当たる。内刃２０は、これにより、外刃１０の円筒内周面と天井面とにしっかりと接触した状態となり、外刃１０のスリット１１から導入された鼻毛をしっかりと剪断する。
【００２２】
この電動式鼻毛カッター１では、内刃台３０とジョイント４０は接触による動力伝達をする構造であることから、外刃１０を本体ハウジング１から取り外し、内刃台３０及び内刃２０を取り出して、鼻毛カッターの各部を掃除をすることができる。その後の組立においても、内刃台３０のスリット溝３２に内刃２０を挿入した状態でジョイント４０の上端に逆Ｖ字状の溝３１を合わせ、外刃１０を閉じれば容易に組み立てることができる。ここで、紐状部材２３により二枚の内刃２１，２２同士を中心側で連結しておくことで、分解清掃時に内刃がバラバラになって紛失するといった問題をも解決している。
【００２３】
また、逆Ｖ字状の溝３１とＶ字状の凸部４１とでジョイント４０と内刃台３０との係合をさせる構成を採用したので、内刃台３０に対する押し上げ力を強くすることができると共に、組立時の位置合わせも楽になり、組立作業は一層容易となっている。ここで、逆Ｖ字状の溝３１とＶ字状の凸部４１の各テーパ面の開き角を調整することにより、内刃２０の押し上げ量及び外刃１０の天井面１２に対する密着力を調整することができる。
【００２４】
なお、ジョイント部４０の凸部としては、図４に示す様に、プレート状の凸部４３を採用しても、「逆Ｖ字状の溝３１に挿入され、逆Ｖ字状の溝３１のテーパ面３１ａ，３１ｂに対して、少なくとも回転中心よりも外側の位置で係合し得る凸部」となり、内刃台３０を押し上げる作用を発揮させることができる。また、耳穴に外刃を挿入して耳毛を切るのに用いることもできる。
【００２５】
以上、本考案の一実施の形態について説明したが、本考案はこの実施の形態に限られるものではなく、その要旨を逸脱しない範囲内においてさらに種々の形態を採用することができることはもちろんである。
【図面の簡単な説明】
【００２６】
【図１】実施形態の電動式鼻毛カッターの斜視図である。
【図２】実施形態の電動式鼻毛カッターの分解正面図である。
【図３】実施形態の電動式鼻毛カッターの内刃台の部分を示し、（Ａ）は斜視図、（Ｂ）は断面図である。
【図４】変形例としての電動式鼻毛カッターのジョイントの形状を示す正面図である。
【図５】従来技術の説明図である。
【符号の説明】
【００２７】
１・・・電動式鼻毛カッター
２・・・本体ハウジング
３・・・モーターのシャフト
１０・・・外刃
１１・・・鼻毛導入用のスリット
１２・・・天井面
１３・・・金属製の円筒状部材
１４・・・樹脂製のモールド部材
１５・・・外ネジ
２０・・・内刃
２１，２２・・・二分割された金属片
２３・・・紐状部材
３０・・・内刃台
３１・・・逆Ｖ字状の溝
３１ａ，３１ｂ・・・テーパ面
３２・・・軸心を通るスリット溝
４０・・・ジョイント
４１・・・Ｖ字状の凸部
４１ａ，４１ｂ・・・テーパ面
４３・・・プレート状の凸部
【図１】
0003147715.tif 000003
【図２】
0003147715.tif 000004
【図３】
0003147715.tif 000005
【図４】
0003147715.tif 000006
【図５】
0003147715.tif 000007